(57)【特許請求の範囲】
【請求項１】
収納凹部の前側が扉で塞がれている歯ブラシ収納庫であって、上記の収納凹部内に、上記の扉にもたれて前傾状に配置されると共に、開扉時に自重で前方に傾倒して傾斜状に迫り出す歯ブラシ収納用具が設けられ、この歯ブラシ収納用具が、歯ブラシを縦にして裏側に横並び状に収納する前板と、この前板の両側から前板の裏側に屈曲する左右一対の側板とでトレイ形に形成され、またこの歯ブラシ収納用具の側板の下部が、収納凹部の側壁から収納凹部内に突き出されている軸に、側板の後端から切り欠き状に形成されている孔を介して枢着され、側板の上部が、上記の側壁から収納凹部内に突き出されている突起に、側板の後端から前板側に延びて側板に切り欠き状に形成されている係合孔を介して係合され、この係合孔に、開扉時に突起に係止して歯ブラシ収納用具の倒伏を防止する係止部が形成され、歯ブラシ収納用具が係合孔と上記の孔を介して収納凹部に着脱自在に設けられていることを特徴とする歯ブラシ収納庫。
【請求項２】
収納凹部の前側が扉で塞がれている歯ブラシ収納庫であって、上記の収納凹部内に、上記の扉にもたれて前傾状に配置されると共に、開扉時に自重で前方に傾倒して傾斜状に迫り出す歯ブラシ収納用具が設けられ、この歯ブラシ収納用具が、歯ブラシを縦にして裏側に横並び状に収納する前板と、この前板の両側から前板の裏側に屈曲する左右一対の側板とでトレイ形に形成され、またこの歯ブラシ収納用具の側板の下部が、収納凹部の側壁から収納凹部内に突き出されている横軸に枢着され、側板の上部が、上記の側壁から収納凹部内に突き出されている凸部に、歯ブラシ収納用具の前後方向に延びて側板に長孔状に形成されている係合孔を介して係合され、上記の横軸と凸部が側壁に押し込み自在に形成され、この横軸と凸部を介して歯ブラシ収納用具が収納凹部に着脱自在に設けられていることを特徴とする歯ブラシ収納庫。
【請求項３】
収納凹部の前側が扉で塞がれている歯ブラシ収納庫であって、上記の収納凹部内に、上記の扉にもたれて前傾状に配置されると共に、開扉時に自重で前方に傾倒して傾斜状に迫り出す歯ブラシ収納用具が設けられ、この歯ブラシ収納用具が、歯ブラシを縦にして裏側に横並び状に収納する前板と、この前板の両側から前板の裏側に屈曲する左右一対の側板とでトレイ形に形成され、またこの歯ブラシ収納用具の下部が、収納凹部の奥の下側の隅に形成されている凹湾曲状の雌型係合部に係合する凸湾曲状の雄型係合部を備えて形成され、歯ブラシ収納用具が上記の雌型係合部に雄型係合部を係合させて収納凹部に枢着されていることを特徴とする歯ブラシ収納庫。
【請求項４】
収納凹部の前側が扉で塞がれている歯ブラシ収納庫であって、上記の収納凹部内に、上記の扉にもたれて前傾状に配置されると共に、開扉時に自重で前方に傾倒して傾斜状に迫り出す歯ブラシ収納用具が設けられ、この歯ブラシ収納用具が、歯ブラシを縦にして裏側に横並び状に収納する前板と、この前板の両側から前板の裏側に屈曲する左右一対の側板とでトレイ形に形成され、またこの歯ブラシ収納用具の下部が、収納凹部の奥の下側の隅に形成されている凹湾曲状の雌型係合部に係合する凸湾曲状の雄型係合部を備えて形成され、歯ブラシ収納用具が上記の雌型係合部に雄型係合部を係合させて収納凹部に枢着され、また開扉時に歯ブラシ収納用具の下部が係止して歯ブラシ収納用具の倒伏を防止するストッパーを収納凹部が備えて形成されていることを特徴とする歯ブラシ収納庫。
【発明の詳細な説明】
【技術分野】
【０００１】
本発明は歯ブラシ収納庫に関し、更に詳しくは収納凹部の前側が扉で塞がれている歯ブラシ収納庫に関するものである。
【背景技術】
【０００２】
従来この種の収納庫としては、例えば収納凹部の前側を塞ぐ扉に、歯ブラシの収納機能を持たせているものがある（例えば特許文献１参照）。
この従来品は、扉を形成する前側の板を、手前に引いて傾倒させると、この板の裏側に立て掛けられている歯ブラシが板の上端から露出するよう持ち上げられ、板を押し戻すと、歯ブラシが板の後側に隠されるよう形成されている。
【０００３】
ところで歯ブラシは、縦向きに収納されるのが通例のため、収納凹部に歯ブラシの収納用具を内蔵させると、収納凹部は、歯ブラシを引き抜くための高さが必要になり、内部にデッドスペースができ、収納庫も高くなり易い。
而して特許文献１の従来品は、上記の通り、前側の板を引くと、板の裏側に収納した歯ブラシを持ち上げ、歯ブラシを斜め上方に抜き取ることができる構造である。従ってこれによると、収納部分の天井の高さを抑えることができる。しかしながら歯ブラシは、例えば大人用、子供用のように柄の長さが異なるものがある。それ故この従来品の場合は、歯ブラシを持ち上げる機能を実現するために部品数が増加し、その結果、加工や組立てに手間暇がかかり、またコストが増加するのを避けられなかった。
【特許文献１】実開平２−９４６８５号公報
【発明の開示】
【発明が解決しようとする課題】
【０００４】
本発明は、このような従来の実情に鑑み、提案されたものである。
従って本発明の解決しようとする技術的課題は、収納凹部にデッドスペースができることを防止でき、天井の高さを高くすることなく、しかも加工コストや組立コストを抑えた状態で歯ブラシを収納できるよう形成した歯ブラシ収納庫を提供することにある。
【課題を解決するための手段】
【０００５】
本発明は、上記の課題を解決するため、次のような技術的手段を採る。
即ち本発明は、図１等に示されるように、収納凹部１の前側が扉２で塞がれている歯ブラシ収納庫であって、上記の収納凹部１内に、上記の扉２にもたれて前傾状に配置されると共に、開扉時に自重で前方に傾倒して傾斜状に迫り出す歯ブラシ収納用具３が設けられ、この歯ブラシ収納用具３が、歯ブラシ６を縦にして裏側に横並び状に収納する前板３ａと、この前板３ａの両側から前板３ａの裏側に屈曲する左右一対の側板３ｂとでトレイ形に形成され、またこの歯ブラシ収納用具３の側板３ｂの下部が、収納凹部１の側壁１ａから収納凹部１内に突き出されている軸７に、側板３ｂの後端から切り欠き状に形成されている孔８を介して枢着され、側板３ｂの上部が、上記の側壁１ａから収納凹部１内に突き出されている突起９に、側板３ｂの後端から前板３ａ側に延びて側板３ｂに切り欠き状に形成されている係合孔１０を介して係合され、この係合孔１０に、開扉時に突起９に係止して歯ブラシ収納用具３の倒伏を防止する係止部１１が形成され、歯ブラシ収納用具３が係合孔１０と上記の孔８を介して収納凹部１に着脱自在に設けられていることを特徴とする（請求項１）。
【０００６】
本発明は、通常、洗面化粧台のキャビネットを構成する一部分として実現されるが、独立した状態で実現されるのでも良い。また歯ブラシ収納用具３の形状や材質は任意である。
【０００７】
また本発明の課題を達成する他の構成としては、図７等に示されるものがある。
即ち、この本発明は、収納凹部１の前側が扉２で塞がれている歯ブラシ収納庫であって、上記の収納凹部１内に、上記の扉２にもたれて前傾状に配置されると共に、開扉時に自重で前方に傾倒して傾斜状に迫り出す歯ブラシ収納用具３が設けられ、この歯ブラシ収納用具３が、歯ブラシ６を縦にして裏側に横並び状に収納する前板３ａと、この前板３ａの両側から前板３ａの裏側に屈曲する左右一対の側板３ｂとでトレイ形に形成され、またこの歯ブラシ収納用具３の側板３ｂの下部が、収納凹部１の側壁１ａから収納凹部１内に突き出されている横軸１２に枢着され、側板３ｂの上部が、上記の側壁１ａから収納凹部１内に突き出されている凸部１３に、歯ブラシ収納用具３の前後方向に延びて側板３ｂに長孔状に形成されている係合孔１０を介して係合され、上記の横軸１２と凸部１３が側壁１ａに押し込み自在に形成され、この横軸１２と凸部１３を介して歯ブラシ収納用具３が収納凹部１に着脱自在に設けられていることを特徴とする（請求項２）。
この場合も、請求項１に係る本発明と同様、歯ブラシ収納用具３を取り外し、歯ブラシ収納用具３や収納凹部１内を掃除することができる。またこの場合は、係合孔１０が長孔状に形成されているから、請求項１の係合孔１０に比べ、外部から加わる振動、衝撃等で歯ブラシ収納用具３が凸部１３から外れることがなく、係合状態を安定化できる。
【０００８】
また本発明の課題を達成する他の構成としては、図１１等に示されるものがある。
即ち、この本発明は、収納凹部１の前側が扉２で塞がれている歯ブラシ収納庫であって、上記の収納凹部１内に、上記の扉２にもたれて前傾状に配置されると共に、開扉時に自重で前方に傾倒して傾斜状に迫り出す歯ブラシ収納用具３が設けられ、この歯ブラシ収納用具３が、歯ブラシ６を縦にして裏側に横並び状に収納する前板３ａと、この前板３ａの両側から前板３ａの裏側に屈曲する左右一対の側板３ｂとでトレイ形に形成され、またこの歯ブラシ収納用具３の下部が、収納凹部１の奥の下側の隅に形成されている凹湾曲状の雌型係合部１６に係合する凸湾曲状の雄型係合部１７を備えて形成され、歯ブラシ収納用具３が上記の雌型係合部１６に雄型係合部１７を係合させて収納凹部１に枢着されていることを特徴とする（請求項３）。
この本発明によると、歯ブラシ収納用具３を着脱できるだけではなく、請求項１に係る本発明に比べ、切り欠き状の孔８や、軸７を一掃でき、収納凹部１内や歯ブラシ収納用具３を掃除し易くなる。
【０００９】
また本発明の課題を達成する更に他の構成としては、図１３等に示されるものがある。
即ち、この本発明は、収納凹部１の前側が扉２で塞がれている歯ブラシ収納庫であって、上記の収納凹部１内に、上記の扉２にもたれて前傾状に配置されると共に、開扉時に自重で前方に傾倒して傾斜状に迫り出す歯ブラシ収納用具３が設けられ、この歯ブラシ収納用具３が、歯ブラシ６を縦にして裏側に横並び状に収納する前板３ａと、この前板３ａの両側から前板３ａの裏側に屈曲する左右一対の側板３ｂとでトレイ形に形成され、またこの歯ブラシ収納用具３の下部が、収納凹部１の奥の下側の隅に形成されている凹湾曲状の雌型係合部１６に係合する凸湾曲状の雄型係合部１７を備えて形成され、歯ブラシ収納用具３が上記の雌型係合部１６に雄型係合部１７を係合させて収納凹部１に枢着され、また開扉時に歯ブラシ収納用具３の下部が係止して歯ブラシ収納用具３の倒伏を防止するストッパー１８を収納凹部１が備えて形成されていることを特徴とする（請求項４）。
この本発明によると、歯ブラシ収納用具３を着脱できるだけではなく、上記の突起９や凸部１３、またこれらと係合する係合孔１０を省略でき、その分、加工コストや組立てコストを低減できると共に、収納凹部１内や歯ブラシ収納用具３の掃除を容易化できる。
【発明の効果】
【００１０】
本発明は、このように収納凹部の前側が扉で塞がれている歯ブラシ収納庫であって、収納凹部内に、扉にもたれて前傾状に配置されると共に、開扉時に自重で前方に傾倒して傾斜状に迫り出す歯ブラシ収納用具が設けられているものである。
従って本発明によれば、部品数を増やすことなく、換言すると加工コストや組立コストを抑えた状態で、収納凹部内にデッドスペースができることを防止できる。またこれによると、天井の低いコンパクトな歯ブラシ収納庫を提供できる。
【００１１】
また本発明は、歯ブラシ収納用具が前板等でトレイ形に形成されているため、歯ブラシ収納用具を軽量化でき、前後方向への回動を容易化、円滑化できる。
【００１２】
また本発明によると、歯ブラシ収納用具を収納凹部から取り外して、歯ブラシ収納用具や収納凹部の中を掃除できる。またこの場合は、突起と係合する係合孔に係止部を形成しているから、歯ブラシ収納用具が前側に倒伏することを、簡単且つ低コストな構造で防止できる。
【発明を実施するための最良の形態】
【００１３】
以下、本発明を実施するための最良の形態を説明する。
本発明の収納庫は、図１等に示されるように、収納凹部１の前側が、例えば横開き状の扉２で塞がれている。そして本発明品は、収納凹部１内に、扉２にもたれて前傾状に配置されると共に、開扉時に自重で前方に傾倒して傾斜状に迫り出す歯ブラシ収納用具３が設けられている。
【００１４】
Ｓは、扉２と歯ブラシ収納用具３とが閉扉時に作るスペースである。この実施形態では、扉２の裏面に、このスペースＳに臨ませて小物４の収納部５が設けられている。収納部５は、この実施形態では棚５ａと、この棚５ａの上方に棚５ａの長手方向に沿って横向きに設けられている棒状の落下防止部材５ｂとで形成されている。本発明は、これにより小物４としての、例えば電動歯ブラシの交換ブラシ等を、棚５ａから落下させることなく収納できる。
【００１５】
また上記の歯ブラシ収納用具３は、歯ブラシ６を縦にして裏側に横並び状に収納する前板３ａと、この前板３ａの両側から前板３ａの裏側に屈曲する左右一対の側板３ｂとでトレイ形に形成され、上記の前板３ａの前面に扉２に当接する扉当接部３ｃが突き出し状に設けられている。前板３ａの裏面には、歯ブラシ６の収納箇所を区分けするための仕切り３ａ１が縦向きに形成されている。また扉当接部３ｃは、左右の角が湾曲されて板片状に形成され、前板３ａの横幅の全体にわたって形成されている。
【００１６】
この本発明の場合は、扉当接部３ｃによって前板３ａの上端を、扉２の裏面から少し奥側に離して配置できる。従ってこれによれば、歯ブラシ６のブラシ部を、前板３ａの上端から露出させても収納時に扉２に干渉することがないから、歯ブラシ６を取り出し易い状態で収納できる、という利点がある。なお扉当接部３ｃは、通常、板片状に形成されるが、その形状や突き出し寸法は任意である。
【００１７】
また歯ブラシ収納用具３は、側板３ｂの上端に、バー３ｄが歯ブラシ収納用具３の前後方向に移動自在に架け渡されている。従ってこれによると、歯ブラシ６の差し込み口の大きさを、バー３ｄを移動することで簡単に、変更、調節できる。またこの場合は、歯ブラシ６が過って後方に倒れることを、バー３ｄで防止できる。３ｅは、バー３ｄの屈曲状の端部を係合させて案内するための案内部である。この案内部３ｅは、側板３ｂの上端から外側に張り出され、歯ブラシ収納用具３の前後方向に延びて形成されている。
【００１８】
また歯ブラシ収納用具３の側板３ｂの下部は、収納凹部１の側壁１ａから収納凹部１内に突き出されている軸７に、側板３ｂの後端から切り欠き状に形成されている孔８を介して枢着されている。孔８は、この実施形態では軸７と係合する背の低い縦孔部８ａを備えて略Ｌ字状に形成されている。そして側板３ｂの下部は、側板３ｂの後端の、孔８の開口部分を利用して軸７から取り外すことができるよう形成されている。
【００１９】
また側板３ｂの上部は、上記の側壁１ａから収納凹部１内に突き出されている突起９に、側板３ｂの後端から前板３ａ側に延びて側板３ｂに切り欠き状に形成されている係合孔１０を介して係合されている。この係合孔１０は、開扉時に突起９に係止して歯ブラシ収納用具３の倒伏を防止する係止部１１を備えて形成されている。係合孔１０は、この実施形態では図１、図４等に示されるように、緩やかな円弧状部１０ａと、図面上、この円弧状部１０ａの右端の位置から立ち下げられて円弧状部１０ａと連通して側板３ｂの後端に開口する屈曲状部１０ｂとで形成され、円弧状部１０ａの右端が係止部１１に形成されている。そして円弧状部１０ａと屈曲状部１０ｂは、突起９の径より幾分大きな幅に全体にわたって形成され、屈曲状部１０ｂの開口から突起９を外して歯ブラシ収納用具３を突起９から取り外すことができるよう形成されている。従って本発明によると、ユーザーは、歯ブラシ収納用具３を収納凹部１から取り外して収納凹部１内や歯ブラシ収納用具３を掃除することができる。
而して本発明は、このように形成されているから、ユーザーが、扉２を開くと、図１等に示されるように、歯ブラシ収納用具３が軸７を中心に前側に回動し、突起９に係止部１１が係止して傾斜状に配置される。従ってユーザーは、この状態で歯ブラシ収納用具３から歯ブラシ６を引き抜いて使用し、使用後は歯ブラシ６を戻し、扉２を閉める。すると、歯ブラシ収納用具３が扉２で押し戻され、収納凹部１内に復帰するものである。
【００２０】
以上の処において、本発明は、例えば図７、図８に示されるように形成されているのでも良い。この実施形態の本発明は、歯ブラシ収納用具３の側板３ｂの下部が、収納凹部１の側壁１ａから収納凹部１内に突き出されている横軸１２に枢着され、側板３ｂの上部が、上記の側壁１ａから収納凹部１内に突き出されている凸部１３に、歯ブラシ収納用具３の前後方向に延びて側板３ｂに長孔状に形成されている係合孔１０を介して係合されている。そして上記の横軸１２と凸部１３は、図９、図１０に示されるように、側壁１ａに押し込み自在に形成され、この横軸１２と凸部１３を介して歯ブラシ収納用具３が収納凹部１に着脱自在に設けられている。なお図１０は、凸部１３の構成を示したものであるが、本発明の場合、横軸１２と凸部１３は同じ構成である。
【００２１】
而して上記の横軸１２と凸部１３は、図１０Ａに示されるように、側壁１ａ内に収納されているコイルバネ１４で収納凹部１内に向かって常時弾発されている。そしてこの実施形態の本発明は、同図Ｂに示されるように、凸部１３をコイルバネ１４の弾発力に抗して押し込むことで、側板３ｂと係合孔１０との係合状態が解除されるよう形成されている。係合孔１０は、上記の通り、長孔状に形成されているから、この実施形態の場合、凸部１３に係止する係止部１１は、図８において、係合孔１０の右端の位置になる。歯ブラシ収納用具３は、扉２が開かれると、図８に示されるように、前側に倒れて収納凹部１から外に迫り出し、凸部１３に係止部１１が係止することにより、倒伏が防止される。
【００２２】
而して本発明の場合、扉２は、図７、図８に示されるように、収納凹部１の前側の下端の枢着部１５を介して前後方向に開閉自在に設けられているのでも良い。この場合は、扉２を閉めるとき、扉２に加える押圧力を、歯ブラシ収納用具３の押し戻し操作に効率良く転換、利用でき、楽に歯ブラシ収納用具３を復帰させることができる、という利点がある。
【００２３】
また上例では、歯ブラシ収納用具３の側板３ｂの下部が、軸７に孔８を介して枢着されているが、本発明はこれに代え、図１１、図１２に示されるように形成されているのでも良い。上例と同一箇所には同一の符号を付し、詳しい説明は省略する。
【００２４】
即ち、この実施形態に係る本発明は、歯ブラシ収納用具３の下部が、収納凹部１の奥の下側の隅に形成されている凹湾曲状の雌型係合部１６に係合する凸湾曲状の雄型係合部１７を備えて形成されている。歯ブラシ収納用具３は、上記の雌型係合部１６に雄型係合部１７を係合させることにより、収納凹部１に枢着されている。本発明の場合、雄型係合部１７と雌型係合部１６は、歯ブラシ収納用具３と収納凹部１の左右方向（横幅方向）の、例えば全長にわたって、或いは部分的に形成される。
【００２５】
また本発明は、図１３、図１４に示されるように、歯ブラシ収納用具３の下部が、収納凹部１の奥の下側の隅に形成されている凹湾曲状の雌型係合部１６に係合する凸湾曲状の雄型係合部１７を備えて形成され、歯ブラシ収納用具３が上記の雌型係合部１６に雄型係合部１７を係合させて収納凹部１に枢着され、また開扉時に歯ブラシ収納用具３の下部が係止して歯ブラシ収納用具３の倒伏を防止するストッパー１８を収納凹部１が備えて形成されているのでも良い。
【００２６】
ストッパー１８は、この実施形態ではピン状に形成され、収納凹部１の側壁１ａから収納凹部１内に突き出されている。そしてこのストッパー１８は、側板３ｂの下部の屈曲面部に形成されている凹み１９と係合するよう設けられている。またこの実施形態では、図１４に示されるように、断面半円形状の雌型係合部１６の奥側の上端１６ａが、収納凹部１の後壁１ｂ内に位置決めされて雄型係合部１７の上端１７ａを係止できるよう形成され、ストッパー１８と合わせて、より確実に歯ブラシ収納用具３の倒伏を防止できるよう形成されている。
【図面の簡単な説明】
【００２７】
【図１】本発明の収納庫の好適な一実施形態を示す、開扉時の縦断面図である。
【図２】同上収納庫の斜視図である。
【図３】同上収納庫の開扉時の斜視図である。
【図４】同上収納庫の閉扉時の縦断面図である。
【図５】Ａは歯ブラシ収納用具の斜視図、Ｂはバーの斜視図である。
【図６】歯ブラシ収納用具の斜視図である。
【図７】同上収納庫の他の実施形態を示す閉扉時の縦断面図である。
【図８】図７の実施形態の開扉時の縦断面図である。
【図９】横軸と凸部の取付構造を説明するための収納凹部の縦断面図である。
【図１０】Ａは図９のＸ−Ｘ線における要部拡大断面図、Ｂは凸部の作用を説明するための同じ箇所の要部拡大断面図である。
【図１１】同上収納庫の他の実施形態を示し、Ａは閉扉時の縦断面図、Ｂは開扉時の縦断面図である。
【図１２】図１１の実施形態の要部を示す収納凹部の縦断面図である。
【図１３】同上収納庫の更に他の実施形態を示し、Ａは閉扉時の縦断面図、Ｂは開扉時の縦断面図である。
【図１４】図１３の実施形態の要部を示す収納凹部の縦断面図である。
【符号の説明】
【００２８】
１      収納凹部
１ａ 側壁
２      扉
３      歯ブラシ収納用具
３ａ 前板
３ｂ 側板
６ 歯ブラシ
７ 軸
８ 孔
９ 突起
１０ 係合孔
１１ 係止部
【図１】
0005012375.tif 000002
【図２】
0005012375.tif 000003
【図３】
0005012375.tif 000004
【図４】
0005012375.tif 000005
【図５】
0005012375.tif 000006
【図６】
0005012375.tif 000007
【図７】
0005012375.tif 000008
【図８】
0005012375.tif 000009
【図９】
0005012375.tif 000010
【図１０】
0005012375.tif 000011
【図１１】
0005012375.tif 000012
【図１２】
0005012375.tif 000013
【図１３】
0005012375.tif 000014
【図１４】
0005012375.tif 000015